【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
原子炉建屋を、その側面を取り囲む第１シート、及び第１開口部が形成された開口形成部材を有し、前記原子炉建屋の運転床の上方に配置されたカバー装置で覆い、
クレーンの掴み具を、前記第１開口部を通して前記カバー装置の下方へ移動させ、
前記原子炉建屋の運転床上の落下物を前記掴み具で把持して前記第１開口部を通して前記カバー装置の上方へ移動させ、
その後、前記第１開口部を封鎖することを特徴とする原子炉建屋における落下物の撤去方法。
【請求項２】
前記原子炉建屋の側面の周囲に複数の支柱を設置し、
前記カバー装置として、矩形状に配置されて前記支柱に取り付けられる４本の枠部材と、対向する一対の前記枠部材にそれぞれ取り付けられたガイドレールに移動可能に取り付けられた走行台車と、前記走行台車上を前記走行台車の移動方向と直交する方向に移動する横行台車と、前記横行台車に取り付けられて第１開口部が形成されている開口形成部材と、第２開口部が形成され、前記走行台車、前記横行台車及び前記各枠部材を覆い、且つ前記第２開口部を前記第１開口部に一致させて前記開口形成部材及び前記複数の枠部材に取り付けられて周辺部が前記第１シートに溶着される、伸縮性を有する第２シートとを備えたカバー装置を用いる請求項１に記載の原子炉建屋における落下物の撤去方法。
【請求項３】
前記原子炉建屋の側面の周囲に複数の支柱を設置し、
前記カバー装置として、
矩形状に配置されて前記支柱に取り付けられる４本の枠部材と、
対向する一対の枠部材を連結する連結部材と、
前記連結部材に並行に配置されたガイドレールに沿って移動し、開口部が形成された開口形成部材が取り付けられた開口形成部材移動台車、及び前記開口形成部材移動台車の移動方向において前記開口形成部材移動台車の両側にそれぞれ取り付けられて前記開口形成部材移動台車から互いに逆方向に伸びる一対の蛇腹状の第２シートを備え、前記一対の蛇腹状の第２シートのうちの一つの前記第２シートが前記一対の枠部材のうちの一つの前記枠部材に取り付けられ、前記一対の蛇腹状の第２シートのうちの残りの前記第２シートが前記一対の枠部材のうちの他の前記枠部材に取り付けられた複数のカバー部材を有するカバー装置を用いる請求項１に記載の原子炉建屋における落下物の撤去方法。
【請求項４】
前記カバー装置として、矩形状に配置された４本の枠部材と、これらの枠部材に取り付けられた格子部材と、前記格子部材により形成される複数のます目領域のうち一部の前記ます目領域に配置される、第１開口部が形成されている開口形成部材と、第２開口部が形成され、前記格子部材及び前記各枠部材を覆い、且つ前記第２開口部を前記第１開口部に一致させて前記開口形成部材及び前記複数の枠部材に取り付けられて周辺部が前記第１シートに溶着される第２シートとを備えたカバー装置を用いる請求項１に記載の原子炉建屋における落下物の撤去方法。
【請求項５】
前記掴み具の前記カバー装置の下方への移動は、前記第１開口部を覆って前記開口形成部材の上に置かれた伸縮性を有する第３シートを、前記クレーンの前記掴み具により、前記第１開口部を通して前記カバー装置の下方へ押し下げて行い、
前記掴み具による、前記運転床上の前記落下物の把持は、前記第３シートの上から行われ、
前記掴み具により、前記第３シートの上から把持された前記落下物を、前記第１開口部を通して前記カバー装置の上方へ移動させ、
前記カバー装置の上方に達した前記落下物を覆っている前記第３シートを、前記落下物の下方で前記第３シートを溶着し、前記第３シートを溶着された部分で切断し、
前記第１開口部の封鎖は、前記溶着された部分が残っている、前記開口形成部材の上に存在する前記第３シートによって行われる請求項１ないし４のいずれか１項に記載の原子炉建屋における落下物の撤去方法。
【請求項６】
前記開口形成部材に取り付けられて前記第１開口部の開閉を行う第１開閉ドアを閉じた状態で、前記掴み具を有する前記クレーンが内部に配置され、下端部に第２開閉ドアが取り付けられた落下物収納容器を、前記第１開閉ドアの上方に配置して前記開口形成部材に取り外し可能に取り付け、
前記第１開閉ドア及び前記第２開閉ドアを開いた状態で、前記落下物収納容器内の前記掴み具を前記第１開口部を通して下降させ、この掴み具で前記運転床上の前記落下物を掴み、この掴み具を上昇させることにより、前記落下物を前記第１開口部を通して前記落下物収納容器内に移動させ、その後、前記第１開閉ドア及び前記第２開閉ドアを閉じ、前記落下物を収納した前記落下物収納容器を前記開口形成部材から取り外して移送する請求項１ないし４のいずれか１項に記載の原子炉建屋における落下物の撤去方法。
【請求項７】
前記落下物を収納した前記落下物収納容器の移送は、前記カバー装置の上方に配置されガイドレール上を走行する走行台車、前記走行台車上の移動する横行台車、及び前記横行台車に取り付けられた掴み具を有するクレーン、及び地上に配置されたクローラクレーンのいずれかを用いて行われる請求項６に記載の原子炉建屋における落下物の撤去方法。
【請求項８】
前記掴み具を有する前記クレーンとして、前記カバー装置の上方に配置されガイドレール上を走行する走行台車、前記走行台車上の移動する横行台車、及び前記横行台車に取り付けられた掴み具を有するクレーンを用いる請求項１ないし５のいずれか１項に記載の原子炉建屋における落下物の撤去方法。
【請求項９】
前記掴み具を有する前記クレーンとして、地上に配置されたクローラクレーンを用いる請求項１ないし５のいずれか１項に記載の原子炉建屋における落下物の撤去方法。
【請求項１０】
前記掴み具を有する前記クレーンとして、前記開口形成部材の上に設置されたジブクレーンを用いる請求項１ないし５のいずれか１項に記載の原子炉建屋における落下物の撤去方法。
【請求項１１】
前記カバー装置の上方に、このカバー装置との間に空間を形成するように他の前記カバー装置を配置し、前記空間を取り囲んで配置された前記第１シートを、前者の前記カバー装置と後者の前記カバー装置の周囲に取り付ける請求項１ないし１０のいずれか１項に記載の原子炉建屋における落下物の撤去方法。
【請求項１２】
前記原子炉建屋の前記側面を取り囲む前記第１シートを前記側面に接触させて配置する作業を行う請求項１１に記載の原子炉建屋における落下物の撤去方法。
【手続補正２】
【補正対象書類名】明細書
【補正対象項目名】００１０
【補正方法】変更
【補正の内容】
【００１０】
上記した目的を達成する本発明の特徴は、原子炉建屋を、その側面を取り囲む第１シート、及び開口部が形成された開口形成部材を有し、原子炉建屋の運転床の上方に配置されたカバー装置で覆い、
クレーンの掴み具を、その開口部を通してカバー装置の下方へ移動させ、
原子炉建屋の運転床上の落下物を掴み具で把持してその開口部を通してカバー装置の上方へ移動させ、
その後、前記開口部を封鎖することにある。
【手続補正３】
【補正対象書類名】明細書
【補正対象項目名】００１１
【補正方法】変更
【補正の内容】
【００１１】
原子炉建屋を、その側面を取り囲む第１シート、及び開口部が形成された開口形成部材を有し、原子炉建屋の運転床の上方に配置されたカバー装置で覆い、その開口部を通してカバー装置の下方へ移動された、クレーンの掴み具により、原子炉建屋の運転床上の落下物を把持してその開口部を通してカバー装置の上方へ移動させ、その後、その開口部を封鎖するので、原子炉建屋における落下物の撤去を行う際、放射性物質の外部環境への飛散を抑制することができ、落下物の撤去を容易に行うことができる。
【手続補正４】
【補正対象書類名】明細書
【補正対象項目名】００１９
【補正方法】変更
【補正の内容】
【００１９】
原子炉建屋１の側面を取り囲むシート２の設置を図３に基づいて説明する。上記したように、原子炉建屋１の周囲で原子炉建屋１の側面の４つの角のそれぞれから離れた各位置に、支柱３を設置する。支柱３の相互間に何本かの支柱を設置してもよい。これらの支柱３が設置された後、シートロール２Ａに巻き付けられたシート２の端部を、１本の支柱３に取り付ける。シートロール２Ａを、シート設置装置（図示せず）の上方に向かって伸びる回転体に装着する。シートロール２Ａを装着したこの回転体を回転させながらシート設置装置を原子炉建屋１の側面に沿って移動させる。シートロール２Ａからシート２が引き出され、引き出されたシート２を各支柱３に順次取り付ける。このため、原子炉建屋１の側面の全周を取り囲むように、シート２が配置される。このシート２は各支柱３に取り付けられる。上記のように、支柱３に取り付けられるシート２の最後の端部は、最初に１本の支柱３に取り付けられた最初の端部に重ねられ、この端部に隙間が生じないように溶着される。原子炉建屋１の角付近に配置された２本の支柱３の間に、他の支柱３が配置されたときには、このシート２は他の支柱３にも取り付けられる。
【手続補正５】
【補正対象書類名】明細書
【補正対象項目名】００２９
【補正方法】変更
【補正の内容】
【００２９】
図示されていないが、走行台車６、横行台車７及び枠部材３７のそれぞれには、運転床の状態を撮影するカメラが設置される。これらのカメラで撮影された映像は、原子炉建屋１の外部に設置された各表示装置に表示される。オペレータは、各表示装置に表示された映像を見ることにより、落下物の撤去作業が行われる運転床の状態、すなわち、運転床上での位置及び落下物の大きさを知ることができ、さらに、落下物の撤去作業を監視することができる。
【手続補正６】
【補正対象書類名】明細書
【補正対象項目名】００３２
【補正方法】変更
【補正の内容】
【００３２】
掴み具８は、開口形成部材１４の上に置かれて開口部１６を覆っているシート１７を運転床上の特定された撤去すべき落下物に向かって押し下げる。シート１７の下面がその落下物の上面に接触し、掴み具８はシート１７の上からその落下物１９を把持する（図１０及び図１１参照）。掴み具８が落下物１９を掴んだ後、この掴み具８を上昇させる。掴み具８に掴まれた落下物１９が、開口形成部材１４の開口部１６を通って枠フレーム１５の上方に達したとき、掴み具８の上昇を停止する。落下物１９の下方でシート１７が絞られて溶着される。シート１７の溶着は、シール切断装置１８のアーム先端部に設けられた加熱装置でシート１７を加熱することにより行われる。シール切断装置１８の加熱装置がシート１７の溶着部２１にさらに押し付けられることにより、この溶着部２１は加熱装置が発生する熱により切断される（図１２及び図１３参照）。シート１７が溶着されて切断された後、掴み具８はさらに上昇する（図１４及び図１５参照）。落下物１９を包んでいるシート１７は切断箇所が完全に溶着されており、シート１７内の気密性が保たれ、掴み具８で掴んでいる落下物１９に付着している放射性物質が落下物１９を包んでいるシート１７の外部に飛散しない。図１２の状態で落下物１９を包み込んだシート１７を熱により切断するため、開口形成部材１４上に置かれた蛇腹状のシート１７は、溶着により開口部が形成されず（図１５参照）、次の落下物１９の包み込みに利用することができる。
【手続補正７】
【補正対象書類名】明細書
【補正対象項目名】００４０
【補正方法】変更
【補正の内容】
【００４０】
開口形成部材１４に形成された開口部１６は開口形成部材１４に保持されたシート１７で封鎖されているため、シート２及びカバー装置４で囲まれた内部に存在する放射性物質が開口部１６を通して外部に飛散し難くなる。このため、放射性物質の外部環境への飛散がさらに抑制される。
【手続補正８】
【補正対象書類名】明細書
【補正対象項目名】００４７
【補正方法】変更
【補正の内容】
【００４７】
一対のシート３０が、一対の連結部材２８間に位置する横行台車２９に取り付けられている。具体的には、一つのシート３０が、連結部材２８が取り付けられる一つの枠部材２７に、隙間が生じないように、取り付けられると共に、枠フレーム１５よりもこの連結部材２８側の位置で横行台車２９に取り付けられている。他のシート３０が、連結部材２８が取り付けられる他の枠部材２７に、隙間が生じないように、取り付けられると共に、枠フレーム１５よりも他の連結部材２８側の位置で横行台車２９に取り付けられている。
【手続補正９】
【補正対象書類名】明細書
【補正対象項目名】００７３
【補正方法】変更
【補正の内容】
【００７３】
カバー装置４の走行台車１０及び横行台車１１を移動させて横行台車１１に取り付けられた開口形成部材１４の開口部１６が、運転床上の特定された一つの落下物の真上に位置される。ジブクレーン２６の掴み具は、開口形成部材１４の上に置かれて開口部１６を覆っているシート１７を運転床上の特定された撤去すべき落下物に向かって押し下げる。その後、実施例１と同様に、ジブクレーン２６の掴み具がシート１７の上からその落下物１９を把持して開口部１６より上方に上昇させ、落下物１９よりも下方の位置でシール切断装置１８によりシート１７の溶着、切断を行う。ジブクレーン２６の掴み具によって把持された落下物１９はシート１７で包み込まれて地上まで移送される。
【手続補正１０】
【補正対象書類名】明細書
【補正対象項目名】００７８
【補正方法】変更
【補正の内容】
【００７８】
実施例１と同様に、カバー装置４の走行台車１０及び横行台車１１を移動させて横行台車１１に取り付けられた開口形成部材１４の開口部１６が、運転床上の特定された一つの落下物の真上に位置される。地上に置かれたクローラクレーン３２の掴み具は、開口形成部材１４の上に置かれて開口部１６を覆っているシート１７を運転床上の特定された撤去すべき落下物に向かって押し下げる。その後、実施例１と同様に、クローラクレーン３２の掴み具がシート１７の上からその落下物１９を把持して開口部１６より上方に上昇させ、落下物１９よりも下方の位置でシール切断装置１８によりシート１７の溶着、切断を行う。クローラクレーン３２の掴み具によって把持された落下物１９はシート１７で包み込まれて地上まで移送される。
【手続補正１１】
【補正対象書類名】明細書
【補正対象項目名】００８２
【補正方法】変更
【補正の内容】
【００８２】
本実施例の原子炉建屋における落下物の撤去方法では、実施例４と同様に、クローラクレーン３２が用いられる。本実施例においても、原子炉建屋１は、シート２及びカバー装置４によって覆われている。しかしながら、本実施例では、原子炉建屋１の側面の４つの角のそれぞれの位置に配置された各支柱３は、その側面に接触している。さらに、それぞれの支柱３に取り付けられて原子炉建屋１の側面を取り囲んでいるシート２は、原子炉建屋１の側面に接触している。このようにシート２を配置することにより、原子炉建屋１の側面とシート２の間の間隔は、実施例１におけるそれよりも著しく狭くなる。本実施例では、シート２が原子炉建屋１の側面に接触しているため、原子炉建屋１の側面とシール２の間の間隔は実質的にゼロである。
【手続補正１２】
【補正対象書類名】明細書
【補正対象項目名】００８５
【補正方法】変更
【補正の内容】
【００８５】
本実施例の原子炉建屋における落下物の撤去方法では、実施例５と同様に、クローラクレーン３２が用いられ、原子炉建屋１の側面の４つの角のそれぞれの位置に配置された各支柱３はその側面に接触しており、さらに、それぞれの支柱３に取り付けられて原子炉建屋１の側面を取り囲んでいるシート２は原子炉建屋１の側面に接触している。本実施例では、原子炉建屋１の運転床を覆って、一つのカバー装置４が４本の支柱３に設けられた受け台の上に載せられてこのカバー装置４の各枠部材２７が該当する支柱３に取り付けられる。本実施例では、各支柱３が、所定の長さだけ、さらに上方に向かって伸びている。原子炉建屋１は、シート２及びカバー装置４によって覆われている。このカバー装置４を覆って別のカバー装置４が配置される。後者のカバー装置４も、クローラクレーン３２を用いて、その４本の支柱３にそれぞれ取り付けられた別の受け台上に載せられる。そして、このカバー装置４の各枠部材２７が該当する支柱３に取り付けられる。空間３３が二つのカバー装置４の間に形成され、この空間３３は４本の支柱３に取り付けられたシート２によって取り囲まれる。
【手続補正１３】
【補正対象書類名】明細書
【補正対象項目名】００８７
【補正方法】変更
【補正の内容】
【００８７】
シート１７が、下方に位置するカバー装置４の、枠フレーム１５が取り付けられた開口形成部材１４の上面に置かれている。シート切断装置１８が、この開口形成部材１４の上面に取り付けられる。上方に位置するカバー装置４の、枠フレーム１５が取り付けられた開口形成部材１４の開口部１６は、スライド式のドア２３が閉じることにより封鎖される。このドア２３は、開口形成部材１４の上面に移動可能に取り付けられる。ドア開閉装置２５が、この開口形成部材１４の上面に取り付けられる。
【手続補正１４】
【補正対象書類名】明細書
【補正対象項目名】００８８
【補正方法】変更
【補正の内容】
【００８８】
原子炉建屋１の運転床上の特定された落下物を撤去する場合には、下方のカバー装置４の走行台車１０及び横行台車１１を移動させ、この横行台車１１に取り付けられた開口形成部材１４に形成された開口部１６を特定された落下物の真上に位置させる。上方に位置するカバー装置４の走行台車１０及び横行台車１１を移動させ、上方に位置するカバー装置４の開口形成部材１４の開口部１６も、特定された落下物の真上に位置させる。